【手続補正書】
【提出日】平成19年9月6日(2007.9.6)
【手続補正１】
【補正対象書類名】明細書
【補正対象項目名】特許請求の範囲
【補正方法】変更
【補正の内容】
【特許請求の範囲】
【請求項１】
位置コードを備えた少なくとも１つの書き込み面を有する製品であって、前記位置コードが、該位置コードを検出する装置により、前記書き込み面上に書かれている情報の電子的記録を可能とするために、前記書き込み面上の複数の位置を符号化するものにおいて、
少なくとも１つの起動アイコンであって、前記装置により検出されると該装置により記録された情報を利用する既定の動作を該装置に開始させるものを、前記製品が更に有することを特徴とする製品。
【請求項２】
前記少なくとも１つの起動アイコンが、位置コードを備えている請求項１に記載の製品。
【請求項３】
前記位置コードが、前記書き込み面及び前記少なくとも１つの起動アイコン上に連続的に広がっており、前記起動アイコンが前記製品上の所定の位置として前記位置コードにより検出可能なものである請求項２に記載の製品。
【請求項４】
前記書き込み面上の前記位置コードが、前記少なくとも１つの起動アイコン上の前記位置コードと不連続である請求項２に記載の製品。
【請求項５】
前記少なくとも１つの起動アイコンに備えられた前記位置コードは、仮想表面上の点の座標を符号化する絶対位置コードの第１のサブセットであり、
該第１のサブセットが、前記仮想表面上の前記少なくとも１つの点の座標を符号化し、前記点が、前記動作の開始専用のものである請求項４に記載の製品。
【請求項６】
前記書き込み面に備えられた前記位置コードは、仮想表面上の点の座標を符号化する絶対位置コードの第２のサブセットであり、
該第２のサブセットが、前記仮想表面上のエリア内の座標を符号化し、前記エリアが、情報の電子的記録専用のものである請求項４に記載の製品。
【請求項７】
前記製品が、位置コードを備えた文字認識エリアを備えている請求項１〜６の何れか１つに記載の製品。
【請求項８】
前記文字認識エリアに備えられた前記位置コードは、仮想表面上の点の座標を符号化する絶対位置コードの第３のサブセットであり、
該第３のサブセットが、前記仮想表面上のエリア内の座標を符号化し、前記エリアが、認識される文字の情報化専用のものである請求項７に記載の製品。
【請求項９】
前記少なくとも１つの起動アイコンが、各種の既定の動作を起動するための複数の起動アイコンからなる請求項１に記載の製品。
【請求項１０】
前記少なくとも１つの起動アイコン及び前記位置コードが、光学的に検出可能なものである請求項１に記載の製品。
【請求項１１】
前記少なくとも１つの起動アイコン及び前記位置コードが、同じセンサーを用いて検出可能なものである請求項１に記載の製品。
【請求項１２】
前記既定の動作が、
前記記録した情報に含まれる電話番号に電話を掛ける、
記録した情報を含むファクシミリを送る、
記録した情報を含む電子メッセージを送る、
記録した情報に含まれるアドレス情報を電子アドレスブックに書く、
記録した情報に含まれるカレンダー情報を電子カレンダーに入力する、
記録した情報に含まれるタスクを電子リストに入力する、
記録した情報をプリンタで印刷する、及び
記録した情報を所定位置に記憶する、
のうちの少なくとも一つである請求項１〜１１の何れか１つに記載の製品。
【請求項１３】
前記位置コードが、複数のシンボルを備え、各シンボルが、２以上の位置の符号化に寄与するものである請求項１〜１２の何れか１つに記載の製品。
【請求項１４】
前記位置コードは、ラスター及び複数のシンボルを備え、各シンボルの値は、前記ラスターに対するマーキングの位置により決定される請求項１〜１３の何れか１つに記載の製品。
【請求項１５】
前記製品が、複数の書き込み面を備えたノートパッドである請求項１〜１４の何れか１つに記載の製品。
【請求項１６】
前記各書き込み面上の前記位置コードが、それぞれ異なる位置を符号化している請求項１５に記載の製品。
【請求項１７】
前記製品が、前記書き込み面を備えた少なくとも１枚のシートからなる紙製品であり、少なくとも前記シートの表面の一部が、好適な弱さの粘着層によりコーティングされている請求項１〜１４の何れか１つに記載の製品。
【請求項１８】
前記書き込み面と前記粘着層が、前記シートの異なる面上に配置されている請求項１７に記載の製品。
【請求項１９】
前記製品が、略同じ複数のシートを備えている請求項１７又は１８に記載の製品。
【請求項２０】
情報を取り扱うための装置であって、
書き込み面上に書かれている情報を電子的に記録する手段と、
既定の起動アイコンを検出したときに、前記電子的に記録した情報を利用する既定の動作を開始する手段と、
を備えたことを特徴とする装置。
【請求項２１】
前記装置が、前記書き込み面上に配置された位置コードを記録することにより、情報を電子的に記録するよう適合されている請求項２０に記載の装置。
【請求項２２】
前記装置が、前記起動アイコンを、前記起動アイコンに備えられた位置コードを用いて、検出するよう適合されている請求項２０又は２１に記載の装置。
【請求項２３】
前記装置が、前記書き込み面上に書かれている情報の電子的記録用及び前記起動アイコンの電子的記録用の少なくとも１つのセンサーを備えている請求項２０に記載の装置。
【請求項２４】
前記装置が、前記情報及び前記起動アイコンの記録用の単一のセンサーを備えており、
該センサーが、前記書き込み面及び前記起動アイコンに備えられた位置コードを記録することにより、前記記録を実現するよう適合されている請求項２３に記載の装置。
【請求項２５】
前記装置が、更に、前記既定の動作を開始するために、前記少なくとも１つのセンサーからの信号内で、前記起動アイコン及び前記記録した情報を検出するよう適合されている信号処理プロセッサを備えている請求項２３又は２４に記載の装置。
【請求項２６】
前記装置は、更に、信号処理プロセッサを備えており、
該信号処理プロセッサが、前記センサーにより記録された前記位置コードを受け取り、前記記録した位置コードが符号化する位置を決定し、これに基づいて、前記位置コードが前記書き込み面に関連するか、前記起動アイコンに関連するかを決定し、前記書き込み面に関連する場合に、前記位置を前記書き込み面上に書かれた情報を表すものとして処理し、前記起動アイコンに関連する場合に、前記位置に対応する既定の動作を開始するよう適合されている請求項２３又は２４に記載の装置。
【請求項２７】
前記信号処理プロセッサが、前記記録した情報を文字コード形式に変換するよう適合された文字認識機能を備えている請求項２５又は２６に記載の装置。
【請求項２８】
前記装置が、前記記録した情報を記憶するメモリを備えている請求項２０〜２７の何れか１つに記載の装置。
【請求項２９】
前記装置が、前記既定の動作の開始において、所定期間内に前記書き込み面から記録された情報の部分を利用するよう適合されている請求項２０〜２８の何れか１つに記載の装置。
【請求項３０】
前記装置が、前記既定の動作の開始において、前記書き込み面上の所定エリア内に記録された情報を利用するよう適合されている請求項２０〜２９の何れか１つに記載の装置。
【請求項３１】
前記装置が、短距離無線通信用の通信機を備えている請求項２０〜３０の何れか１つに記載の装置。
【請求項３２】
前記少なくとも１つのセンサーが、第１のケース内に配置され、
前記信号処理プロセッサが、第２のケース内に配置されている請求項２５又は２６に記載の装置。
【請求項３３】
前記装置からの前記記録した情報を、外部ユニットへ転送するための携帯電話通信機を更に備え、
前記既定の動作が、
前記記録した情報に含まれる電話番号に電話を掛ける、
記録した情報を含むファクシミリを送る、
記録した情報を本文として備える電子メッセージを送る、
記録した情報をプリンタで印刷する、及び
記録した情報をドローイング・プログラムに転送する、
のうちの少なくとも一つである請求項２０〜３１の何れか１つに記載の製品。
【請求項３４】
前記装置が、アドレスブック・プログラム、カレンダー・プログラム又はＴｏＤｏリスト・プログラム型の少なくとも１つのコンピュータプログラムを備え、
前記既定の動作が、前記コンピュータプログラムの１つで使用するために、前記記録した情報に含まれる情報の部分を、レジスタ内に取り込むことからなる請求項２０〜３３の何れか１つに記載の装置。
【請求項３５】
前記装置が、ハンドヘルド型のものである請求項２０〜３４の何れか１つに記載の装置。
【請求項３６】
情報の電子的記録を妨げることなく、前記書き込み面上に前記情報を書き込むためのペン先を更に備えている請求項２０〜３５の何れか１つに記載の装置。
【請求項３７】
前記装置が前記少なくとも１つの起動アイコンを検出したときに、ユーザに通知を与える手段を更に備えている請求項２０〜３６の何れか１つに記載の装置。
【請求項３８】
前記装置が前記位置コードを検出したときを示す手段を更に備えている請求項２０〜３７の何れか１つに記載の装置。
【請求項３９】
コンピュータ読み取り可能な記憶媒体に格納された情報の取り扱いのためのコンピュータプログラムであって、
起動アイコンを検出し、該起動アイコンの検出に応じて、電子的に記録された手書きの情報を利用する既定の動作を開始するよう、前記コンピュータを動作させる命令を備えていることを特徴とするコンピュータプログラム。
【請求項４０】
前記コンピュータプログラムが、入力信号として、前記起動アイコン及び前記電子的に表された手書きの情報を表す複数の位置指標を受け取るよう適合されると共に、前記受け取った位置指標を解析する命令を備え、
前記解析が、
前記受け取った位置指標が位置の第１のサブセットに属する場合に、該位置指標を前記手書きの情報の相応部分として処理すること、及び
前記受け取った位置指標が位置の第２のサブセットに属する場合に、該位置指標を既定の動作を実行するコマンドとして処理すること
を備えている請求項３９に記載のコンピュータプログラム。
【請求項４１】
前記解析が、
前記プログラムへの入力信号として受け取った画像内の位置符号化パターンの検出、及び
前記位置符号化パターンの、座標の形での位置指標への変換、
を備えている請求項３９に記載のコンピュータプログラム。
【請求項４２】
位置符号化シート上の起動アイコンを検出するステップと、
前記シート上のグラフィカル入力を検出するステップと、
コンピュータシステム内のアプリケーションであって、前記起動アイコンに関連付けられているものに、関連付けられているプログラム・ウィンドウで、前記グラフィカル入力を再生するステップ、
のための命令を更に備えている請求項３９に記載のコンピュータプログラム。
【請求項４３】
電子的に情報を記録するよう適合された装置と、既定の動作を表す少なくとも１つの起動アイコンを備えた製品とを備えた情報の取り扱いのためのシステムであって、
前記装置が、前記製品上の前記少なくとも１つの起動アイコンの検出に応じて、前記記録した情報に関し、前記既定の動作を開始するよう適合されていることを特徴とするシステム。
【請求項４４】
位置コードを備えた書き込み面であって、
該位置コードが、前記書き込み面上の複数の位置を符号化したものを備え、
前記装置が、前記情報を電子的に記録するよう適合されている請求項４３に記載のシステム。
【請求項４５】
情報を記録すると共に処理する方法であって、
装置を使用して書き込み面上に情報を書き込むステップと、
前記装置を使用して前記書き込んだ情報を電子的に記録するステップと、
前記書き込んだ情報の記録の前又は後に前記装置に起動アイコンを検出させることによって、前記記録した情報に関し、前記装置が既定の動作を実行するようにさせるステップと、
を備えたことを特徴とする方法。
【請求項４６】
ユーザの命令で複数の既定の動作を実行することが可能なハンドヘルド型電子装置であって、
少なくとも１つの起動アイコンを検出するためのセンサーと、
前記センサーによる前記起動アイコンの検出に応じて、前記既定の動作の１つを実行するよう適合されている信号処理プロセッサと、
を備えたことを特徴とするハンドヘルド型電子装置。
【請求項４７】
前記起動アイコンが、前記位置コードの第１のサブセットを備えており、
前記書き込み面が、前記位置コードの第２のサブセットを備えており、
前記装置のメモリに記憶された情報であって、前記位置コードの第１のサブセットと前記位置コードの第２のサブセットによってそれぞれどの位置が符号化されたかを示すものを用いることにより、前記装置が前記起動アイコンを検出する請求項２に記載の製品。
【請求項４８】
記録した情報に特性を付け加える起動アイコンを備える請求項１に記載の製品。
【請求項４９】
前記位置コードが、ラスターと複数のマーキングを備え、
前記マーキングの各々が、前記位置コードの前記位置を符号化するために、前記ラスターによって定められるそれぞれの仮想の位置からずれている請求項１に記載の製品。
【請求項５０】
前記起動アイコンが、前記起動アイコン上の少なくとも一つの位置を符号化する前記位置コードの第１のサブセットを備えており、
前記書き込み面が、前記書き込み面上の複数の位置を符号化する前記位置コードの第２のサブセットを備えており、
前記装置が、前記位置コードの第１のサブセットと前記位置コードの第２のサブセットによってどの位置が符号化されたかを示す情報であって、前記装置によって前記起動アイコンの検出に用いられるものを記憶するメモリを備える請求項２２に記載の装置。
【請求項５１】
前記書き込み面上を移動し、前記起動アイコンと触れるためのペンと、
前記ペンが前記書き込み面上を移動している間、および、前記ペンが前記起動アイコンと触れているときに、前記位置コードを画像化するために前記ペンとともに移動するように取り付けられたセンサーと、
前記書き込み面から読み取られた前記位置コードを使用してペンの移動経路の情報を生成するために前記ペンとともに移動するように取り付けられた処理回路と、
を備え、
前記処理回路は、前記メモリに記憶された情報を使用することにより、前記ペンが前記起動アイコンと触れたときを識別して、前記ペンの移動経路の情報を利用する既定の動作を開始するための信号を生成する請求項５０に記載の装置。
【請求項５２】
前記装置は、前記記録された情報とどの動作が実行されるべきかを示す指標を外部ユニットへ送信することにより、前記既定の動作を開始するように構成される請求項２０〜２２の何れか１つに記載の装置。
【請求項５３】
前記コンピュータプログラムは、前記書き込み面上および少なくとも一つの前記起動アイコン上でどの位置が符号化されたかを示すあらかじめ記憶された情報を使用して、受け取った位置指標が前記第１または第２のサブセットのいずれに属するかを決定するように適合されている請求項４０に記載のコンピュータプログラム。
【請求項５４】
前記起動アイコンが、前記位置コードの第１のサブセットを備えており、
前記書き込み面が、前記位置コードの第２のサブセットを備えており、
前記システムが、前記位置コードの第１のサブセットと前記位置コードの第２のサブセットによって、それぞれどの位置が符号化されたかを示す情報を記憶するメモリを備え、
前記装置が、前記メモリに記憶された前記情報を使用して、前記起動アイコンを検出する請求項４４に記載のシステム。
【請求項５５】
コンピュータシステムを更に備え、
前記コンピュータシステムは、電子的に記録された情報を前記装置から受信し、前記起動アイコンの検出に応じて前記コンピュータシステムのアプリケーションに関連付けられるプログラム・ウィンドウ中の画像として前記電子的に記録された情報を表示するように適合されている請求項４４または５４に記載のシステム。
【請求項５６】
前記信号処理プロセッサは、スタンドアロン・モードで前記既定の動作のすべてを実行することが可能である請求項４６に記載のハンドヘルド型電子装置。
【請求項５７】
前記起動アイコン上に設けられた位置コードによって符号化された位置を示す情報を記憶するメモリを更に備え、
前記起動アイコンは、前記メモリに記憶された前記情報を使用して検出される請求項５６に記載のハンドヘルド型電子装置。
【手続補正２】
【補正対象書類名】明細書
【補正対象項目名】００９２
【補正方法】変更
【補正の内容】
【００９２】
小さい数字から０を差し引き、大きい数字から２を差し引くと、Ｘ方向と同様な方法でＹ方向の位置が得られ、この位置から混合基数のＹ座標を直接決定できる。
【手続補正３】
【補正対象書類名】明細書
【補正対象項目名】０１１３
【補正方法】変更
【補正の内容】
【０１１３】
起動アイコンは、第１に、動作を開始するために使用される。これらはまた、記録した情報に、例えば、ペンの色や線幅のような特性を付け加えるために使用できる。
【手続補正４】
【補正対象書類名】図面
【補正対象項目名】図８ａ
【補正方法】変更
【補正の内容】
【図８ａ】
2003508843.tif 000001